(57)【要約】【課題】  地下通路の照明に関して無駄のない照明が行われるような地下設備を提供するとともに、地下通路の異常を監視し必要に応じて警報を発するような地下通路設備を提供することを目的とする。【解決手段】  照明灯によって通路内を照明するよう構成された地下通路設備において、照度が変化可能な照明灯２と、照度を変化させることができる照度切替手段と、照度切替手段を制御する制御装置Ｃｎと、通行人の地下通路Ｔｎ内への進入を検知する進入検知手段１，４とを有し、制御装置Ｃｎが、進入検知手段から、通行人の地下通路内への進入を検知した旨の信号を得ると、前記照度切替手段に照度を増加させる信号を発して、前記照明灯の照度を上げるべく制御する。【選択図】        図１
2005141937.tif 000002
【特許請求の範囲】
【請求項１】
照明灯によって通路内を照明するよう構成された地下通路設備において、
前記照明灯として設けられた照度が変化可能な照明灯と、前記照度を変化させることができる照度切替手段と、前記照度切替手段を制御する制御装置と、通行人の地下通路内への進入を検知する進入検知手段とを有し、
前記制御装置が、前記進入検知手段から、通行人の地下通路内への進入を検知した旨の信号を得ると、前記照度切替手段に照度を増加させる信号を発して、前記照明灯の照度を上げるべく制御することを特徴とする地下通路設備。
【請求項２】
照明灯によって通路内を照明し該通路内での異常を監視するよう構成された地下通路設備において、
前記照明灯として設けられた照度が変化可能な照明灯と、前記照度を変化させることができる照度切替手段と、通路内での異常を検知する異常検知手段と、通路内での異常を警報する警報手段と、前記照度切替手段を制御するとともに前記警報手段を作動させる制御装置と、通行人の地下通路内への進入を検知する進入検知手段とを有し、
前記制御装置が、前記進入検知手段から、通行人の地下通路内への進入を検知した旨の信号を得ると、前記照度切替手段に照度を増加させる信号を発して、前記照明灯の照度を上げるべく制御するとともに、前記異常検知手段からの異常が検知されたときに前記警報手段を作動させることを特徴とする地下通路設備。
【請求項３】
前記進入検知手段が、画像認識装置によって構成されていることを特徴とする請求項１又は２記載の地下通路設備。
【請求項４】
前記異常検知手段が、音センサーを具備した画像認識装置によって構成されていることを特徴とする請求項２記載の地下通路設備。
【請求項５】
前記画像認識装置がＩＴＶカメラを具備しており、このＩＴＶカメラが前記異常を検知したときに、該異常状態を構成している画像部分を形成する対象物を自動追尾するよう構成されていることを特徴とする請求項３又は４記載の地下通路設備。
【請求項６】
前記ＩＴＶカメラがズーム機能を具備しており、前記自動追尾の際にズーム機能を用いて前記対象物を適切な大きさの画像として捉えるよう構成されていることを特徴とする請求項５記載の地下通路設備。
【請求項７】
前記異常検知手段がさらに手動式の非常スイッチを複数箇所に具備しており、前記制御装置が、非常スイッチが操作された箇所に前記ＩＴＶカメラが向けてその部分の前記対象物を画像として捉えるよう制御することを特徴とする請求項５又は６記載の地下通路設備。
【請求項８】
前記警報手段が、地下通路内外へ異常を通報する通報装置によって構成されおり、前記制御装置が、前記画像認識装置が捉えた画像あるいは音声を通報装置を介して通報するよう制御すること特徴とする請求項５〜７のいずれか１の項に記載の地下通路設備。
【請求項９】
前記地下通路が複数のブロックに区分され、各ブロック毎に前記進入検知手段を備えており、各ブロックに設けられた照明灯群毎に、前記照度切替手段によって該照明灯群を形成するこれら照明灯の照度の制御がおこなわれるよう構成されていることを特徴とする請求項１〜８のいずれか１の項に記載の地下通路設備。
【請求項１０】
前記地下通路が複数のブロックに区分され、各ブロック毎に前記ＩＴＶカメラを備えており、前記制御装置が、各ブロックに配置されている前記ＩＴＶカメラが捉えている対象物が隣接するブロックに移動したときに、該移動したブロックに設けられているＩＴＶカメラが該対象物を引き続いて捉えるように該ＩＴＶカメラを制御することを特徴とする請求項５記載の地下通路設備。
【発明の詳細な説明】
【技術分野】
【０００１】
本発明は、地下通路（この明細書において、「地下通路」という用語は、所謂地下通路の他にも照明が必要な通路を含む広い概念で用いる。）を照明し、および／又は地下通路内での異常を監視し必要に応じて警報を発する、地下通路設備に関する。
【背景技術】
【０００２】
都会を中心に地下通路は多数存在する。例えば、大きな路幅の道路や線路下あるいは線路上を横断するための、前記定義した広義の地下通路が存在する。
【０００３】
そして、このような地下通路では、殆どの場合、照明は２４時間連続でおこなわれており、全長の長い通路の場合には、その照明のために消費される累積エネルギーは膨大な量になる。このような状況の放置は、地球規模で二酸化炭素の排出量を削減しようとする近年の世界的な状況下において看過できるものでなく、無駄なエネルギーの使用は可及的に改善されることが望ましいことは言うまでもない。
【０００４】
このような状況に鑑みて、本発明者は、先般、必要なときのみ照明器具のみ点灯し不要なときには消灯するよう制御した新規・有用なトンネルの照明設備（この明細書において、先願にかかるトンネルの照明設備という）を提供した（特許文献１参照）。
【０００５】
また、近年、我が国の治安レベルも低下し、前述のような地下通路で、通行人が殆ど無くなった深夜の時間帯には、通行しようとする女性を中心とする通行人が暴漢等に襲われたり、金品を強奪されるような事態が日常茶飯事の如く発生している。このような状況下において、可及的速やかに、深夜等においても地下通路の通行人の安全が保証されるべきである。
なお、一般の家屋における治安監視と治安維持の装置としては、既に提案されている（特許文献２参照）。
【特許文献１】特開２００３−２１７８７３号公報。
【特許文献２】特開２００２−２３０６５５号公報。
【発明の開示】
【発明が解決しようとする課題】
【０００６】
本発明は、前述したような現況に鑑みておこなわれたもので、地下通路の照明に関して無駄のない照明が行われるような地下設備を提供するとともに、地下通路の異常を監視し必要に応じて警報を発するような地下通路設備を提供することを目的とする。
【課題を解決するための手段】
【０００７】
本第１の発明にかかる地下通路設備は、照明灯によって通路内を照明するよう構成された地下通路設備において、
前記照明灯として設けられた照度が変化可能な照明灯と、前記照度を変化させることができる照度切替手段と、前記照度切替手段を制御する制御装置と、通行人の地下通路内への進入を検知する進入検知手段とを有し、
前記制御装置が、前記進入検知手段から、通行人の地下通路内への進入を検知した旨の信号を得ると、前記照度切替手段に照度を増加させる信号を発して、前記照明灯の照度を上げるべく制御することを特徴とする。
【０００８】
また、本第２の発明にかかる地下通路設備は、照明灯によって通路内を照明し該通路内での異常を監視するよう構成された地下通路設備において、
前記照明灯として設けられた照度が変化可能な照明灯と、前記照度を変化させることができる照度切替手段と、通路内での異常を検知する異常検知手段と、通路内での異常を警報する警報手段と、前記照度切替手段を制御するとともに前記警報手段を作動させる制御装置と、通行人の地下通路内への進入を検知する進入検知手段とを有し、
前記制御装置が、前記進入検知手段から、通行人の地下通路内への進入を検知した旨の信号を得ると、前記照度切替手段に照度を増加させる信号を発して、前記照明灯の照度を上げるべく制御するとともに、前記異常検知手段からの異常が検知されたときに前記警報手段を作動させることを特徴とする。
【発明の効果】
【０００９】
前述のように構成された本第１の発明にかかる地下通路設備によると、制御装置は、通行人が地下通路に進入したことを前記進入検知手段が検知したときに、照度切替手段を制御して、照明灯の照度を増加させる。従って、通行人が地下通路を通行する際には必要且つ十分な照度の照明がなされた状態で通行することができる。
そして、地下通路に通行人がないときには、制御装置は、前記照度切替手段を制御して、照明灯の照度を必要最小限の明るさに維持する。従って、従来無駄になっていた、通行人がいないときの大きな照度の照明は行われず、この結果、累積的なエネルギーが大幅に削減できる。
【００１０】
前述のように構成された本第２の発明にかかる地下通路設備によると、照明的には、前記第１の発明と同様の作用効果を奏するとともに、該地下通路内において、異常検知手段が異常を検知したとき、例えば、所定以上の大きさの音あるいは所定以上の大きさの音であって音の音域が異常時に発する音域の音を検知したときには、制御装置は、警報手段に警報を発するよう制御する。この結果、この警報によって、異常事態に遭遇した通行人は救済されることが可能となる。前記警報手段としては、最寄りの警察への通報であり、又は地下通路の内部あるいは外部周辺への拡声器による警報等であったり、又はそれらの両方であったり、あるいは全く異なる警報であってもよい。
【発明を実施するための最良の形態】
【００１１】
前記第１および第２の発明にかかる地下通路設備において、前記進入検知手段が、画像認識装置（例えば、ＩＴＶカメラ、モーションディテクター）によって構成されていると、地下通路内の通行人を画像の状態で認識できることから、動物や昆虫等の進入の場合には作動しないようにすることができ、また異常事態の様子を具体的に把握可能となり、信頼性の高い地下通路設備を実現できる。
【００１２】
前記第２の発明にかかる地下通路設備において、前記異常検知手段が、音センサーを具備した画像認識装置（例えば、ＩＴＶカメラ、モーションディテクター）によって構成されていると、具体的な異常状態を把握でき、必要に応じて画像認識装置で把握した画像を最寄りの警察等に通報することができる高規格の地下通路設備を実現できる。
【００１３】
前記地下通路設備において、前記画像認識装置がＩＴＶカメラを具備しており、このＩＴＶカメラが前記異常を検知したときに、該異常状態を構成している画像部分を形成する対象物を自動追尾するよう構成されていると、異常自体を連続して画像として把握できる、さらにレベルの高い地下通路設備となる。
【００１４】
また、前記地下通路設備において、前記ＩＴＶカメラがズーム機能を具備しており、前記自動追尾の際にズーム機能を用いて前記対象物を適切な大きさの画像として捉えるよう構成されていると、より明確に異常の状態が把握でき、該異常事態に対する最適な対応とともに、事後に必要となる事件の立証等に有効な資料を提供することができる地下通路設備となる。
【００１５】
また、前記地下通路設備において、前記異常検知手段がさらに手動式の非常スイッチを複数箇所に具備しており、前記制御装置が、非常スイッチが操作された箇所に前記ＩＴＶカメラが向けてその部分の前記対象物を画像として捉えるよう制御するよう構成されていると、異常事態をタイムラグなく把握できる地下通路設備となる。
【００１６】
また、前記地下通路設備において、前記警報手段が、地下通路内外へ異常を通報する通報装置によって構成されおり、前記制御装置が、前記画像認識装置が捉えた画像あるいは音声を通報装置を介して通報するよう制御するよう構成されていると、このような地下通路設備を事前知識として加害者に知らしめることによって、異常事態を未然に防止できる地下通路設備となり、また異常事態が発生したときには地下通路内あるいはその近傍の通行人が異常事態に対して速やかに対応できる地下通路設備となる。
【００１７】
また、前記地下通路設備において、前記地下通路が複数のブロックに区分され、各ブロック毎に前記進入検知手段を備えており、各ブロックに設けられた照明灯群毎に、前記照度切替手段によって該照明灯群を形成するこれら照明灯の照度の制御がおこなわれるよう構成されていると、より合理的な照明が可能な設備となり、大規模な地下通路設備に好ましい構成となる。
【００１８】
また、前記地下通路設備において、前記地下通路が複数のブロックに区分され、各ブロック毎に前記ＩＴＶカメラを備えており、前記制御装置が、各ブロックに配置されている前記ＩＴＶカメラが捉えている対象物が隣接するブロックに移動したときに、該移動したブロックに設けられているＩＴＶカメラが該対象物を引き続いて捉えるように該ＩＴＶカメラを制御するように構成されていると、大規模な地下通路設備を含む地下通路設備において、地下通路設備の全ての位置においてより正確に且つ連続して異常事態を画像として把握できる地下通路設備となる。
【実施例１】
【００１９】
以下、本願発明にかかる地下通路設備の１つの実施例を図面を参照しながら具体的に説明する。
【００２０】
図１は本発明の一つの実施例にかかる地下通路設備の構成を概念的に示す平面図、図２は図１に示す地下通路設備の概略構成を示すブロック図である。
【００２１】
図１に図示する地下通路設備は、４本の地下通路Ｔｎが井桁状に配置されている大規模交差点等に見られる構成の地下通路設備である。そして、この地下通路設備には、８箇所の出入口Ｅｎ（Ｅｎ１〜Ｅｎ８）が設けられている。
そして、各出入口Ｅｎ１〜Ｅｎ８には、それぞれ進入検知手段である人感センサー（例えば、この実施例では赤外線センサー）１が配置されている。そして、図２に図示するように、この人感センサー１は、通信線Ｌａ２を介して、前記制御装置Ｃｎに接続されている。
【００２２】
そして、各地下通路Ｔｎには、図１に長方形で図示される、地下通路Ｔｎの長手方向に沿って、照度を変更可能な照明灯（例えば、蛍光灯）２が、複数配設されている。この照明灯２は、この実施例では、照度が変更可能になっており、このような照度の制御は後述する制御装置Ｃｎによって後述する各ブロック毎に実施することが可能になっている。そして、この図１に図示する地下通路Ｔｎの場合、各地下通路Ｔｎにそれぞれ１２本の照明灯２が配設され、これらの地下通路Ｔｎにとって必要且つ十分な照度が得られるように構成されている。照明灯２の数については、適宜地下通路Ｔｎの長さや高さ又は必要な照度、または照明灯の種類等によって適宜決定すればよい。
前記照度が変更可能な照明灯２として、具体的には、照度が照明能力の１０％と１００％の２つの状態に切替え可能な照明灯が使用されている。具体的商品としては、「星和電機（株）（本社：京都府城陽市寺田新池３６）」製の商品名「ＦＢ２−４５１１  １０％調光機能付」等がある。あるいは「星和電機（株）（本社：京都府城陽市寺田新池３６）」製の商品名「ＫＰＦ０４５１Ｂ−Ｄ」等もある。しかし、これらの照明灯に拘束されるものでなく、もちろん、他のメーカの同種のあるいは同様の機能を奏する照明灯を用いてもよい。
【００２３】
ところで、前記照明灯２のそれぞれには、図示しないが点灯に必要な電力を供給する配電線と、照度の切替え制御のための信号を付与する制御線Ｌａ１（図２参照）が配線されており、前記制御線Ｌａ１からの信号によって後述する各ブロック毎にそこに設けられた照明灯の照度の前記切替えがおこなえるよう構成されている。つまり、この実施例の場合、各地下通路Ｔｎ毎ではなく、各ブロック毎にそこに配置されている照明灯２の照度の制御ができるよう構成されている。図１において、前記配電線と制御線は省略しており、また制御線は、図２においては制御装置Ｃｎとの関係を示すために便宜的に１本の制御線（ライン）Ｌａ１で示している。
前記制御線Ｌａ１は、図２に図示するように、制御装置Ｃｎの制御盤２０に接続されており、より具体的には、図示しないが、前記制御盤２０の照明分電盤に接続されて、制御装置Ｃｎの制御装置本体２９によって制御可能に構成されている。そして、前記照明灯２内には、前記制御線Ｌａ１を介した前記制御装置Ｃｎの制御により、照度を照明能力の１０％と１００％に切り替えることができる切替え装置（照度切替手段）が内蔵されている。
【００２４】
この地下通路設備では、全体を８つのブロックに分割して、必要最小限のエリアのみ必要な照度の照明をするような制御を実施するよう構成されている。この８つのブロックは、図１において、出入口Ｅｎ１と出入口Ｅｎ２とそこから図１において一点鎖線で示すライン８０で示す箇所に至る略クロス状の領域を第１のブロックＢｒ１、同じく出入口Ｅｎ３と出入口Ｅｎ４とそこから図１において一点鎖線で示すライン８１で示す箇所に至る略クロス状の領域を第２のブロックＢｒ２、同じく出入口Ｅｎ５と出入口Ｅｎ６とそこから図１において一点鎖線で示すライン８２で示す箇所に至る略クロス状の領域を第３のブロックＢｒ３、同じく出入口Ｅｎ７と出入口Ｅｎ８とそこから図１において一点鎖線で示すライン８３で示す箇所に至る略クロス状の領域を第４のブロックＢｒ４、前記第１のブロックのライン８０で示す位置と第４のブロックのライン８３で示す位置との間の直線状の地下通路を第５のブロックＢｒ５、前記第１のブロックのライン８０で示す位置と第２のブロックのライン８１で示す位置との間の直線状の地下通路を第６のブロックＢｒ６、前記第２のブロックのライン８１で示す位置と第３のブロックのライン８２で示す位置との間の直線状の地下通路を第７のブロックＢｒ７、前記第３のブロックのライン８２で示す位置と第４のブロックのライン８３で示す位置との間の直線状の地下通路を第８のブロックＢｒ８としている。
【００２５】
また、二つの地下通路Ｔｎが交差する部位の、両方の地下通路Ｔｎを臨む位置には、進入検知手段および異常検知手段を形成する画像認識装置の一部を構成するＩＴＶカメラ４がいずれの地下通路Ｔｎをも映し出すことができるように配設されている。また、前記地下通路Ｔｎの交差する部位と隣の交差する部位との間の各通路には、該各通路の長手方向に沿って２台の前記ＩＴＶカメラ４が互いに離間した状態でそれぞれ配設されている。これらの各ＩＴＶカメラ４は、この実施例では、ズームレンズを備えており、後述する制御装置Ｃｎの制御によって、任意にズームインとズームアウトができ、またカメラのレンズを任意の方向（任意の上下方向および任意の左右方向）に向けることができる形態のものが使用されている。
そして、これらのＩＴＶカメラ４は、集音マイクロフォン４Ａを具備しており、地下通路Ｔｎの音を検知することができるようになっている。なお、図２では、便宜的に、前記ＩＴＶカメラ４と集音マイクロフォン４Ａとを別の位置に記載している。そして、前記集音マイクロフォン４Ａからの信号線Ｌａ３はアンプ２８に接続されている。
【００２６】
また、この実施例の場合、前記地下通路Ｔｎの各出入口Ｅｎには、保安維持手段としての、電動式のシャッターＳｔが配設されており、このシャッターＳｔは、制御線Ｌａ４を介して、前記制御装置Ｃｎからの制御により、閉めることが可能になっている。
【００２７】
さらに、前記地下通路Ｔｎの外部および地下通路Ｔｎ内部には、警報装置（警報手段）の一種としてのスピーカＡｍ（図２参照）が配設されており、このスピーカＡｍは、信号線Ｌａ５を介して前記制御装置Ｃｂの制御によって、前記集音マイクロフォン４Ａから集音した音を拡大して、あるいは地下通路設備の管理所あるいは警察署に配置されたリモートマイク５４からの音を、拡大して流すことができるように構成されている。
【００２８】
また、図１に図示するように、地下通路Ｔｎ内の互いに離間した複数箇所には、手動式の非常釦６が配設されており、この非常釦６は図２に図示するように、制御線Ｌａ６を介して該非常釦６からの非常信号を前記制御装置Ｃｎに伝達できるよう構成されている。
【００２９】
また、前記制御装置Ｃｎは、画像認識装置の一部を構成する画像センサー感知部２２と、画像および音声を記録し又制御装置本体２９のプログラムを記憶している記憶装置２１と、制御を司る制御装置本体２９とを具備している。従って、前記ＩＴＶカメラ４からの画像は、画像センサー感知部２２を経て記憶装置２１に記憶でき、またこの記憶装置２１には、前記集音マイクロフォン４Ａから集音した音も前記画像と一体に記憶（録音）できる。
そして、前記記憶装置２１としては、具体的にはハードディスクを用いることができる。また、制御プログラムは、記憶装置２１内にＲＡＭあるいはＲＯＭの形態で記憶させておいてもよい。
【００３０】
また、前記制御装置Ｃｎは、通信機能を具備するために、ＡＤＳＬ変換器２３を具備しており、前記ＩＴＶカメラ４、前記集音マイクロフォン４Ａおよび非常釦６からの信号（画像信号や音声信号を含む）を、通信ケーブルＬａ１０を介して、地下通路設備から離れた位置にある地下通路設備の管理所１００（および／又は警察署）側へ伝えることができるように構成している。従って、前記地下通路設備の管理所１００（および／又は警察署）には、前記ＡＤＳＬ変換器２３に対応したＡＤＳＬ変調器５０と、このＡＤＳＬ変調器５０に信号線Ｌａ２０で接続されたモニターＴＶ５２、信号線Ｌａ２１で接続されたリモートマイク５４とが配置されている。
【００３１】
もちろん、信号線Ｌａ１０ではなく、前記地下通路設備の前記制御装置Ｃｎと、地下通路設備の管理所１００（および／又は警察署）とを無線によって信号の伝達をおこなってもよい。かかる場合には、信号線の配設工事がより容易になる点で優れた構成となる。
【００３２】
そして、このように構成された本発明にかかる地下通路設備によると、以下のように作用することができる。以下、この地下通路設備の作用とともに、前記制御装置Ｃｎの制御内容を図３のフローチャートに沿って説明する。
【００３３】
まず、照明に関して説明すると、図３のフローチャートに示すように、ステップ１（Ｓ１）において、通行人があるか否か、前記人感センサー１が検知し、該人感センサー１が通行人を検知しない場合には、ステップ２（Ｓ２）に移行して、前記制御装置Ｃｎは、前記照明灯２を１０％の照明能力で点灯させる。そして、ステップ１（Ｓ１）に戻る。
【００３４】
一方、前記人感センサー１が通行人を検知した場合には、該人感センサー１から前記制御装置Ｃｎにその旨の信号が伝達され、ステップ３（Ｓ３）に移行し、該制御装置Ｃｎは、その人感センサー１が配置されているブロック（例えば、第１のブロックＢｒ１）の前記照明灯２を１００％の照明能力で点灯させる。
【００３５】
以下、通行人が、図１において、出入口Ｅｎ１からこの地下通路設備内へ入り次に第５のブロックＢｒ５を通過して、第４のブロックＢｒ４、第８のブロックＢｒ８を経て、第３のブロックＢｒ３の出入口Ｅｎ５から地下通路設備外へ出る場合を例に上げて説明する。
【００３６】
通行人が、前記出入口Ｅｎ１からこの地下通路設備内へ入ると、該出入口Ｅｎ１に配置されている人感センサー１が通行人が入ろうとしている旨の信号を前記制御装置Ｃｎに伝達する。その結果、該制御装置Ｃｎは、第１のブロックＢｒ１の照明灯２を１００％の照明能力で点灯させる（ステップ３（Ｓ３参照））。
【００３７】
次に、ステップ４（Ｓ４）において、その通行人がいずれの方向に進行するかを、前記ＩＴＶカメラ４によって検知する。
そして、図１において、通行人が第１のブロックＢｒ１から出入口Ｅｎ７に向かって進行したとすると、ステップ５（Ｓ５）において、前記第５のブロックＢｒ５に配置されているＩＴＶカメラ４（および／又は第６のブロックＢｒ６に配置されているＩＴＶカメラ４）がその旨の画像信号を制御装置Ｃｎに伝達する。その結果、該制御装置Ｃｎは通行人が第５のブロックＢｒ５側へ進行すると判断して、第５のブロックの照明灯２を１００％の照明能力で点灯させる。このとき、前記第１のブロックＢｒ１の照明灯２は依然１００％の照明能力で点灯させる。
【００３８】
次に、ステップ６（Ｓ６）において、その通行人が前記第５のブロックＢｒ５において第４のブロックＢｒ４側へ近づくと該第５ブロックＢｒ５あるいは第４のブロックＢｒ４のＩＴＶカメラ４がその旨の画像信号を制御装置Ｃｎに伝達する。その結果、該制御装置Ｃｎは通行人が第４のブロックＢｒ４側へ進行すると判断して、第４のブロックＢｒ４の照明灯２を１００％の照明能力で点灯させる。また、このとき、制御装置Ｃｎは、前記第１のブロックＢｒ１の照明灯２を１０％の照明能力に低減させる。
【００３９】
そして、ステップ７（Ｓ７）において、図１において、通行人が第５のブロックＢｒ５から第４のブロックＢｒ４を経て、第８のブロックＢｒ８側へ近づくと、該第５ブロックＢｒ５、第４のブロックＢｒ４のあるいは第８のブロックＢｒ８のＩＴＶカメラ４がその旨の画像信号を制御装置Ｃｎに伝達する。その結果、該制御装置Ｃｎは通行人が第８のブロックＢｒ４側へ進行すると判断して、第８のブロックＢｒ４の照明灯２を１００％の照明能力で点灯させる。また、このとき、制御装置Ｃｎは、前記第５のブロックＢｒ５の照明灯２を１０％の照明能力に低減させる。
【００４０】
次に、ステップ８（Ｓ８）において、その通行人が前記第８のブロックＢｒ８において第３のブロックＢｒ３側へ近づくと、該第８ブロックＢｒ８あるいは第３のブロックＢｒ３のＩＴＶカメラ４がその旨の画像信号を制御装置Ｃｎに伝達する。その結果、該制御装置Ｃｎは通行人が第３のブロックＢｒ３側へ進行すると判断して、第３のブロックＢｒ３の照明灯２を１００％の照明能力で点灯させる。また、このとき、制御装置Ｃｎは、前記第４のブロックＢｒ４の照明灯２を１０％の照明能力に低減させる。
【００４１】
次に、ステップ９（Ｓ９）において、その通行人が前記第３のブロックＢｒ３において出入口Ｅｎ５へ近づくと、該第３ブロックＢｒ３のＩＴＶカメラ４がその旨の画像信号をあるいは該出入口Ｅｎ５に配置されている人感センサー１からの検知信号が制御装置Ｃｎに伝達され、該制御装置Ｃｎは、通行人を検知しているか否かチェックする。
【００４２】
この結果、通行人が検知されている場合には、そのままの照明状態を維持する。
【００４３】
一方、ステップ９（Ｓ９）において、第３ブロックＢｒ３のＩＴＶカメラ４がその旨の画像信号をあるいは該出入口Ｅｎ５に配置されている人感センサー１が通行人を検知しなくなると、ステップ１０（Ｓ１０）に移行して、制御装置Ｃｎは、通行人が出入口Ｅｎ５から地下通路設備を出たと判断して、第８のブロックＢｒ８および第３のブロックＢｒ３の照明灯２を１０％の照明能力に低減させる。
【００４４】
このように、本実施例にかかる地下通路設備によると、制御装置Ｃｎは、通行人が通行に必要な領域（通行しているブロックおよびそれに隣接するブロック）の照明灯２のみ１００％の照明能力で点灯させ、その他のブロックの照明灯２は１０％の照明能力でのみ点灯させる。
従って、本実施例にかかる地下通路設備によると、必要且つ十分な領域のみの照明灯を点灯させるという、極めて合理的な照明がおこなわれる結果、省エネルギーに寄与することができる。特に、深夜になると、地下通路Ｔｎを通行する人が殆どいなくなることから、これらの時間帯での節電効果は大きい。
【００４５】
次に、この地下通路設備の異常の監視と警報機能等について、通行人が前記第５のブロックＢｒ５において、暴漢に襲われた場合を例に挙げて、フローチャートに沿って説明する。
【００４６】
通行人が前記第５のブロックＢｒ５を通行している状態で、ステップ１（Ｓ１）において、そのときの通行人の様子は、前述のように第５のブロックＢｒ５、第４のブロックＢｒ４あるいは第１のブロックＢｒ１に配置されているＩＴＶカメラ４によって、制御装置Ｃｎ内の前記画像センサー感知ブロックＢｒ２２に伝達され、この画像から制御装置Ｃｎは、異常事態が発生したか否かチェックする。また、この際、通行人が悲鳴を上げたか否か前記前記集音マイクロフォン４Ａからの音声信号も制御装置Ｃｎにおいてチェックされる。異常事態と判断する信号がない場合には、そのままの状態でチェックを続行する。
【００４７】
一方、前記ＩＴＶカメラ４および集音マイクロフォン４Ａからの信号から制御装置Ｃｎが通行人が前記第５のブロックＢｒ５において、暴漢に襲われた（異常事態発生）と判断すると、ステップ２（Ｓ２）に移行する。前記音声からの異常事態の判断は、例えば、悲鳴のような特定の音域（あるいは音量）のものが検知された場合に、制御装置Ｃｎが異常事態である旨判断するよう構成している。
このステップ２（Ｓ２）では、異常事態が生じると、制御装置Ｃｎは、画像処理および音声からその異常事態を検知し、前記アンプ２８を経て前記集音マイクロフォン４Ａからの音声を地下通路設備内外に設けられたスピーカＡｍを介して拡大して流す。従って、該地下通路Ｔｎ内に他の通行人がいると、あるいは地下通路設備の外を通行している人や近隣の人等がいると、この異常事態を聞きつけて、いち早く救助に向かうことができる。
また、このような異常事態は、前記ＡＤＳＬ変換器２３、通信線、前記ＡＤＳＬ復調器５２を介して、地下通路設備の管理所（および／又は警察署）に設けられたモニターＴＶに映し出され又異常音が伝達される。このような異常事態を管理人（あるいは警察署員）等が知ると、前記リモートマイク５４から、前記スピーカＡｍを介して、加害者に対して、警告を発することができる。
さらに、この地下通路設備の場合、前記異常事態であると制御装置Ｃｎが判断すると、地下通路設備全ての照明灯２が点灯され、視覚的にも地下通路設備内外の通行人等に地下通路設備内の異常を知らせる。
また、前記異常事態と制御装置Ｃｎが判断すると、その状況を捉えている前記ＩＴＶカメラ４に対して、詳細がより鮮明に判るようにその通行人およびその近傍をズームアップするようまたカメラが追尾するよう制御をおこない、前記管理者（あるいは警察署員）がより状況を把握し易くするとともに、前記記憶装置２１はその状況を全て記録する。この記録は、管理者等が意図的に消去するまで、そのまま残るような制御がおこなわれる。
また、前記制御装置Ｃｎは、異常事態が生じたと判断すると、出入口Ｅｎ１〜Ｅｎ８に配置されているシャッターＳｔを閉じて、加害者が地下通路設備外に出られないようにする。
【００４８】
ところで、前記非常釦６を被害者が押した場合にも、その旨の信号が前記制御装置Ｃｎに伝達され、該制御装置Ｃｎは異常事態が生じたものと判断して、前述のような制御を実施する。
従って、このように非常釦６が配置されていると、前記ＩＴＶカメラ４等が異常事態を把握できないような場合にも、容易に且つ正確に異常事態を把握することが可能となる。
【００４９】
ところで、前記実施例では、照明灯について、１００％の能力と１０％の能力に切替え可能なものについて説明したが、１００％の能力と５％の能力の場合であっても、あるいはその他の割合で必要な電力を低減できるものであってもよい。
【００５０】
また、前記異常事態については、暴漢に襲われた場合について説明したが、病人あるいは老人等が通路に倒れているような場合等についても、前記画像信号等から同様に異常事態として把握し、それに対して管理者、警察署、消防署等に迅速に通報することが可能となる。
【００５１】
また、警報装置としては、前記スピーカの他に、警報ランプを配置することも有効な構成となる。また、前記制御装置に、警察あるいは消防で使用する緊急周波数の無線により、前記異常事態の発生と、当該地下通路設備のある場所、および通行人（被害者）等の音声等を発信するよう構成することも好ましい実施形態となる。
【００５２】
制御装置から、地下通路設備の管理所（あるいは警察署）等への、信号の伝達の伝達手段やその方式は、前述した信号線を使用したＡＤＳＬ方式や無線方式の他にも、電話回線あるいは光ファイバー等種々の伝達手段や伝達方式があり、これらいずれの伝達手段や方式を採用するかは、費用面あるいは技術的な条件から適宜選択すればよい。
【産業上の利用可能性】
【００５３】
本第１の発明および本第２の発明にかかる地下通路設備は、狭義の地下通路の他に、周壁のある陸橋あるいはビル内の通路等に適用するこができる。
【図面の簡単な説明】
【００５４】
【図１】本発明の一つの実施例にかかる地下通路設備の構成を概念的に示す平面図である。
【図２】図１に示す地下通路設備の概略構成を示すブロック図である。
【図３】図１に図示する地下通路設備の、照明灯の照度の制御を示すフローチャートである。
【図４】図１に図示する地下通路設備の、異常事態を検知しそれに対する処置を示すフローチャートである。
【符号の説明】
【００５５】
１…人感センサー（進入検知手段）
２…照明灯
４…ＩＴＶカメラ（進入検知手段、画像認識装置）
Ｔｎ…地下通路
Ｃｎ…制御装置
Ａｍ…警報装置
【図１】
2005141937.tif 000003
【図２】
2005141937.tif 000004
【図３】
2005141937.tif 000005
【図４】
2005141937.tif 000006